(57)【特許請求の範囲】
【請求項１】
光源から射出された光を変調する光変調装置、および前記光変調装置で変調された光を投写する投写レンズを有する光学ユニットを備えたプロジェクターであって、
当該プロジェクターの動作を制御する制御部と、
前記光学ユニットおよび前記制御部を収納する外装筐体と、
前記外装筐体内を、前記光学ユニットが配置される第１領域と、前記制御部が配置される第２領域とに仕切る仕切部と、
前記外装筐体外部の空気を内部に取り込み、取り込んだ空気を前記第１領域および前記第２領域に流通させるファンと、
前記制御部が制御する前記第１領域に配置された制御対象のうちの少なくとも前記光変調装置の、前記制御部に電気的に接続される配線を有し、前記第１領域に配置される集約基板と、
前記制御部と前記集約基板とを電気的に接続する配線部と、
を備え、
前記制御部は、外部装置が接続される接続端子が実装されたインターフェイス基板を備え、
前記外装筐体には、前記接続端子が露出する端子用開口部が形成され、
前記インターフェイス基板は、前記接続端子が実装された面の反対側の面が前記投写レンズの側方に対向するように配置され、
前記第２領域に空気を流通させるファンは、前記インターフェイス基板に沿う方向に空気を送風するように配置されることを特徴とするプロジェクター。
【請求項２】
請求項１に記載のプロジェクターであって、
前記ファンは、
前記第１領域に配置され、前記第１領域に空気を流通させる第１ファンと、
前記第２領域に配置され、前記第２領域に空気を流通させる第２ファンと、
を備え、
前記集約基板は、前記第１ファンの、前記制御部に電気的に接続される配線を有すことを特徴とするプロジェクター。
【請求項３】
請求項１または請求項２に記載のプロジェクターであって、
前記制御部および前記光源に電力を供給する電源装置を備え、
前記電源装置は、
外部から供給される交流電流のノイズを除去するフィルター部と、
前記フィルター部から出力された交流電力を直流電力に変換する電源部と、
前記電源部から出力された直流電力を変圧して前記光源を駆動する光源駆動部と、
を備え、
前記電源装置は、少なくとも前記電源部が前記第２領域に配置されることを特徴とするプロジェクター。
【請求項４】
請求項３に記載のプロジェクターであって、
前記電源部は、前記第２領域を流通する空気が流れる方向において、前記制御部の下流に配置されることを特徴とするプロジェクター。
【請求項５】
請求項１〜請求項４のいずれか一項に記載のプロジェクターであって、
前記制御部は、制御回路素子が実装された制御基板を有し、
前記配線部は、前記制御基板と前記集約基板とを電気的に接続する配線を有し、前記制御基板および前記集約基板と一体的に形成された回路基板の一部であることを特徴とするプロジェクター。
【請求項６】
請求項１〜請求項５のいずれか一項に記載のプロジェクターであって、
前記仕切部は、前記第１領域と前記第２領域とが、当該プロジェクターの設置姿勢における鉛直方向に交差する方向に並設されるように前記外装筐体内を仕切ることを特徴とするプロジェクター。
【請求項７】
請求項１〜請求項６のいずれか一項に記載のプロジェクターであって、
前記外装筐体は、前記第１領域を流通した空気、および前記第２領域を流通した空気が同じ方向に排出される排気口を有していることを特徴とするプロジェクター。
【発明の詳細な説明】
【技術分野】
【０００１】
本発明は、プロジェクターに関する。
【背景技術】
【０００２】
従来、光源から射出された光を画像情報に応じて変調し、変調した光をスクリーン等に
投写するプロジェクターが知られている。プロジェクターは、光源や光源から射出された
光を変調する光変調装置に加え、光変調装置を制御する制御部や、光源および制御部に電
力を供給する電源装置等を備える。そして、光源や電源装置は熱を発するため、この熱が
制御部等にかかる熱負荷を抑制することを目的としたプロジェクターが提案されている（
例えば、特許文献１参照）。
【０００３】
特許文献１に記載のプロジェクターは、投影部、投影部固定部材、外部ケース、金属板
、電源用基板、制御基板、および第１のファン、第２のファンを備えている。
投影部は、ランプおよびレンズ等を備え、画像をスクリーンに投影する。投影部固定部
材は、第１の空間を有し、投影部を収納する。金属板は、外部ケース内の投影部固定部材
の外側となる第２の空間を上側の空間と下側の空間に仕切り、電源用基板は、上側の空間
に配置され、制御基板は下側の空間に配置される。また、外部ケースには、第１の空間用
の空気吸入口、および第２の空間用の空気吸入口が設けられている。
第１のファンは、ランプ近傍に配置され、第１の空間用の空気吸入口から取り込んだ外
部の空気を第１の空間に流動させてランプを冷却し、外部ケースの外側に排出する。第２
のファンは、第２の空間用の空気吸入口から取り込んだ外部の空気を第２の空間の上下の
空間に流動させて電源用基板および制御基板を冷却し、外部ケースの外側に排出する。
【先行技術文献】
【特許文献】
【０００４】
【特許文献１】特開２００７−２４８７６１号公報
【発明の概要】
【発明が解決しようとする課題】
【０００５】
しかしながら、特許文献１に記載の技術では、投影部を充分冷却することが難しく、ま
た投影部にプロジェクター外部の塵埃が侵入して投影される画像が劣化する恐れがある。
すなわち、特許文献１には開示されていないが、公知技術からすると、投影部には、画像
を投影するための光学素子（例えば、ランプから射出された光を変調する光変調装置や、
光変換素子、レンズ等）が備えられている。そして、これらの光学素子は、ランプからの
光が照射されることにより発熱するため冷却が求められるが、これらの光学素子をランプ
近傍に配置された第１のファンのみで冷却することが難しいと考えられる。また、光変調
装置や第１のファンを制御するために、これらの部材と制御基板とを電気的に接続する必
要があるため、投影部固定部材には、電気的に接続するためのケーブル等が挿通される開
口部が設けられることになる。また、この開口部は、第１のファンに加え、光学素子等を
冷却するためのファンが設けられた場合には、さらに複数の箇所に設けられることが考え
られる。その結果、第１の空間には、この開口部から第２の空間用の空気吸入口から取り
込んだ外部の空気が流入し易くなる。公知技術からすると、第１の空間用の空気吸入口に
は防塵フィルターが配置されているため、第１の空間用の空気吸入口からは、外部の塵埃
が侵入することが防止されるが、第２の空間用の空気吸入口には、防塵フィルターが配置
されていないため、第１の空間に外部の塵埃が侵入することになってしまう。
このように、特許文献１に記載のプロジェクターは、投影部を充分冷却することが難し
く、また、投影部が配置されている領域に塵埃が侵入し易いという課題がある。
【課題を解決するための手段】
【０００６】
本発明は、上述の課題の少なくとも一部を解決するためになされたものであり、以下の
形態または適用例として実現することが可能である。
【０００７】
［適用例１］本適用例に係るプロジェクターは、光源から射出された光を変調する光変
調装置、および前記光変調装置で変調された光を投写する投写レンズを有する光学ユニッ
トを備えたプロジェクターであって、当該プロジェクターの動作を制御する制御部と、前
記光学ユニットおよび前記制御部を収納する外装筐体と、前記外装筐体内を、前記光学ユ
ニットが配置される第１領域と、前記制御部が配置される第２領域とに仕切る仕切部と、
前記外装筐体外部の空気を内部に取り込み、取り込んだ空気を前記第１領域および前記第
２領域に流通させるファンと、前記制御部が制御する前記第１領域に配置された制御対象
のうちの少なくとも前記光変調装置の、前記制御部に電気的に接続される配線を有し、前
記第１領域に配置される集約基板と、前記制御部と前記集約基板とを電気的に接続する配
線部と、を備えることを特徴とする。
【０００８】
この構成によれば、外装筐体内は、仕切部によって光学ユニットが配置される第１領域
と、制御部が配置される第２領域とに仕切られ、第１領域および第２領域にはそれぞれ空
気が流通する。そして、第１領域には、光変調装置と制御部とを電気的に繋ぐ配線を有す
集約基板が配置され、集約基板と制御部とは、配線部で接続される。
これによって、光変調装置の入力端子と制御部とを接続する配線を集約基板に設けるこ
とで、光変調装置の入力端子に接続する複数の配線を集約基板でまとめ、配線部を介して
制御部に接続することができる。よって、光変調装置の入力端子が直接制御部に接続され
る構成に比べ、制御部との接続をよりコンパクトに構成できるので、配線部が挿通される
仕切部に形成される開口部は、小さなものとなる。よって、第１領域と第２領域との間の
空気の流動を抑制することが可能となるので、第１領域の防塵性の向上および効率的な冷
却、および、第２領域の防塵性を第１領域より緩和して通気性を高めることが可能となる
。よって、第１領域に配置される光学ユニットの光学部品への塵埃の付着の防止および効
率的な冷却、および第２領域に配置される制御部をより効率良く冷却することが可能とな
る。したがって、プロジェクターは、光学部品への塵埃の付着や高温による画質の劣化を
抑制した画像の投写が可能になると共に、ファンの低電圧駆動等による低騒音化が可能と
なる。特に、光変調装置が複数設けられる光学ユニットの構成においては、それぞれの光
変調装置の入力端子が異なる位置に配置され、配線本数が多くなるので、顕著な効果を奏
する。
【０００９】
［適用例２］上記適用例に係るプロジェクターにおいて、前記ファンは、前記第１領域
に配置され、前記第１領域に空気を流通させる第１ファンと、前記第２領域に配置され、
前記第２領域に空気を流通させる第２ファンと、を備え、前記集約基板は、前記第１ファ
ンの、前記制御部に電気的に接続される配線を有すことが好ましい。
【００１０】
この構成によれば、第１領域には第１ファンが配置され、第２領域には第２ファンが配
置されるので、第１領域、第２領域に流通させる空気の風量や風速を容易に制御すること
が可能となる。そして、第１ファンと制御部とを接続する配線は集約基板に設けられるの
で、光変調装置の配線、および第１ファンの配線を集約基板でまとめ、配線部を介して、
光変調装置および第１ファンと制御部とを電気的に接続することができる。よって、第１
領域の防塵性を高めつつ、第１領域および第２領域に配置される部材のより効率的な冷却
が可能となる。
【００１１】
［適用例３］上記適用例に係るプロジェクターにおいて、前記制御部および前記光源に
電力を供給する電源装置を備え、前記電源装置は、外部から供給される交流電流のノイズ
を除去するフィルター部と、前記フィルター部から出力された交流電力を直流電力に変換
する電源部と、前記電源部から出力された直流電力を変圧して前記光源を駆動する光源駆
動部と、を備え、前記電源装置は、少なくとも前記電源部が前記第２領域に配置されるこ
とが好ましい。
【００１２】
この構成によれば、電源部は、通気性の高い第２領域に配置されるので、電源部のより
効率的な冷却が可能となる。
【００１３】
［適用例４］上記適用例に係るプロジェクターにおいて、前記電源部は、前記第２領域
を流通する空気が流れる方向において、前記制御部の下流に配置されることが好ましい。
【００１４】
この構成によれば、制御部および電源部は、第２領域の空気の流通方向に、この順で並
設され、第２領域を流れる空気は、制御部を冷却した後、制御部より高温となる電源部を
冷却する。これによって、制御部と電源部とが並設される方向に交差する方向の大型化を
抑制し、制御部を冷却した空気を有効に利用して電源部を冷却できるプロジェクターの提
供が可能となる。
【００１５】
［適用例５］上記適用例に係るプロジェクターにおいて、前記制御部は、制御回路素子
が実装された制御基板を有し、前記配線部は、前記制御部と前記集約基板とを電気的に接
続する配線を有し、前記制御基板および前記集約基板と一体的に形成された回路基板の一
部であることが好ましい。
【００１６】
この構成によれば、制御部と集約基板とを電気的に接続するためのケーブルやコネクタ
ー等が不要なので、部品点数の削減や製造の簡素化が可能となる。
【００１７】
［適用例６］上記適用例に係るプロジェクターにおいて、前記仕切部は、前記第１領域
と前記第２領域とが、当該プロジェクターの設置姿勢における鉛直方向に交差する方向に
並設されるように前記外装筐体内を仕切ることが好ましい。
【００１８】
この構成によれば、第１領域に配置される光学ユニットと第２領域に配置される制御部
とは、上述した方向に並設されるので、上下方向に並設される構成に比べ、一方側から他
方側へ熱が互いに伝わりにくくなる。よって、光学ユニットおよび制御部の効率的な冷却
が可能となる。
【００１９】
［適用例７］上記適用例に係るプロジェクターにおいて、前記制御部は、外部装置が接
続される接続端子が実装されたインターフェイス基板を備え、前記外装筐体には、前記接
続端子が露出する端子用開口部が形成されていることが好ましい。
【００２０】
この構成によれば、インターフェイス基板が第２領域に配置されているので、外装筐体
の端子用開口部から外部の塵埃が第２領域に侵入した場合でも、仕切部によって、この塵
埃が第１領域に侵入することが抑制される。よって、第１領域に配置される光学ユニット
の光学部品への塵埃の付着の防止をさらに高め、プロジェクターは、塵埃の付着による画
質の劣化をさらに抑制した画像の投写が可能となる。
【００２１】
［適用例８］上記適用例に係るプロジェクターにおいて、前記インターフェイス基板は
、前記接続端子が実装された面の反対側の面が前記投写レンズの側方に対向するように配
置され、前記第２領域に空気を流通させるファンは、前記インターフェイス基板に沿う方
向に空気を送風するように配置されることが好ましい。
【００２２】
ここで、投写レンズの側方とは、プロジェクターが机上等に載置された姿勢において、
プロジェクターの投写面側を前方とした場合、プロジェクターを後方から見て、投写レン
ズの左方や右方をいう。
この構成によれば、投写レンズの側方に対応する位置となるプロジェクターの側面側に
接続端子を配置できると共に、第２領域の流動性を高めて冷却空気を流通させ、第２領域
に配置される部材を効率良く冷却することが可能となる。
【００２３】
［適用例９］上記適用例に係るプロジェクターにおいて、前記外装筐体は、前記第１領
域を流通した空気、および前記第２領域を流通した空気が同じ方向に排出される排気口を
有していることが好ましい。
【００２４】
この構成によれば、第１領域に配置される部材を冷却した空気、および第２領域に配置
される部材を冷却した空気は、同じ方向に排出されるので、排出される空気が多方向に向
かうことが抑制される。これによって、プロジェクター内部を冷却した空気が複数の方向
に排気される構成に比べ、排気を不快に感じる画像の観察者がプロジェクターの近傍に位
置する領域が増えるので、観察者の観察位置の自由度を高めたプロジェクターを提供でき
る。
また、排気口をプロジェクター外側の多方向から観察しにくいように形成できるので、
プロジェクターの外観の見映えの向上が可能となる。
【図面の簡単な説明】
【００２５】
【図１】本実施形態のプロジェクターの概略構成を示す模式図。
【図２】本実施形態の制御部、電源装置、冷却装置、回路接続部および仕切部を第２領域側から見た斜視図。
【図３】本実施形態の制御部、電源装置、冷却装置、回路接続部および仕切部を第１領域側から見た斜視図。
【図４】変形例１の構成を説明するための模式図。
【発明を実施するための形態】
【００２６】
以下、本実施形態に係るプロジェクターについて、図面を参照して説明する。
本実施形態のプロジェクターは、光源から射出された光を画像情報に応じて変調し、変
調した光をスクリーン等の投写面に拡大投写する。
【００２７】
図１は、本実施形態のプロジェクター１の主な構成を示す模式図である。
図１に示すように、プロジェクター１は、外装を構成する外装筐体２、光源装置３１を
有する光学ユニット３、制御部４、光源装置３１や制御部４等に電力を供給する電源装置
５、複数のファンを有する冷却装置６、回路接続部７、および外装筐体２内部を第１領域
１００と第２領域２００とに仕切る仕切部８を備える。
なお、図１は、プロジェクター１の主な構成部品を明確にするために、同様の機能を有
する複数のファンを１つにまとめ、回路接続部７における後述する中継基板７１（図３参
照）を省略した図である。また、以下では、説明の便宜上、プロジェクター１から射出さ
れる光の方向を前方（＋Ｙ方向）、机上等に載置されたプロジェクター１の上側を上方（
＋Ｚ方向）、後方から見たプロジェクター１の右側を右方（＋Ｘ方向）として記載する。
【００２８】
外装筐体２は、詳細な図示は省略するが、複数の部材を有して構成され、上面、底面（
いずれも図示省略）、および図１に示すように、前面２Ｆ、右側面２Ｒ、左側面２Ｌ、お
よび後面２Ｂを有している。そして、左側面２Ｌには、外気を取り込むための第１吸気口
２１が形成され、前面２Ｆの右側面２Ｒ寄りには、外気を取り込むための第２吸気口２２
が形成されている。
【００２９】
また、第１吸気口２１には、外気に混在する塵埃の内部への侵入を防止するための防塵
フィルター２１ｐ、および防塵フィルター２１ｐを固定し、防塵フィルター２１ｐの交換
の際に取り外されるカバー２１ｃが配置されている。
また、外装筐体２の後面２Ｂには、左側面２Ｌ寄りに第１排気口２３が形成され、右側
面２Ｒ寄りに第２排気口２４が形成されている。そして、右側面２Ｒには、後述する接続
端子ＣＮが露出する端子用開口部が形成されている。
【００３０】
また、プロジェクター１は、横長の画像を投写する横置き姿勢はもとより、横置き姿勢
から９０°回転されて縦長の画像を投写する縦置き姿勢が可能に構成されている。後で詳
細に説明するが、図１に示すように、光学ユニット３と制御部４とは、プロジェクター１
の横置き姿勢となる設置姿勢において、鉛直方向に交差する方向、具体的には左右方向（
±Ｘ方向）に並設されている。
仕切部８は、光学ユニット３と制御部４との間に設けられ、外装筐体２内を光学ユニッ
ト３が配置される第１領域１００と、制御部４が配置される第２領域２００とに仕切る。
第１吸気口２１は、第１領域１００に外部の空気が流入する開口部であり、第２吸気口２
２は、第２領域２００に外部の空気が流入する開口部である。
【００３１】
光学ユニット３は、制御部４による制御の下、光源装置３１から射出された光を光学的
に処理して投写する。
光学ユニット３は、図１に示すように、光源装置３１に加え、インテグレーター照明光
学系３２、色分離光学系３３、後述する光変調装置を有する光学装置３４、投写レンズ３
５、およびこれらの光学部品を光路上の所定位置に配置する光学部品用筐体３６を備える
。
【００３２】
光源装置３１は、超高圧水銀ランプやメタルハライドランプ等からなる放電型の光源３
１１、およびリフレクター３１２等を備える。光源装置３１は、光源３１１から射出され
た光をリフレクター３１２にて反射し、インテグレーター照明光学系３２に向けて射出す
る。
【００３３】
インテグレーター照明光学系３２は、第１レンズアレイ３２１、第２レンズアレイ３２
２、偏光変換素子３２３、および重畳レンズ３２４を備える。
第１レンズアレイ３２１は、小レンズがマトリクス状に配列された構成を有しており、
光源装置３１から射出された光を複数の部分光に分割する。第２レンズアレイ３２２は、
第１レンズアレイ３２１と略同様の構成を有しており、重畳レンズ３２４とともに、部分
光を光変調装置の表面に略重畳させる。偏光変換素子３２３は、第２レンズアレイ３２２
から射出されたランダム光を光変調装置で利用可能な略１種類の偏光光に揃える機能を有
している。
【００３４】
色分離光学系３３は、ダイクロイックミラー３３１，３３２、および反射ミラー３３３
〜３３６を備え、インテグレーター照明光学系３２から射出された光を赤色光（以下「Ｒ
光」という）、緑色光（以下「Ｇ光」という）、青色光（以下「Ｂ光」という）の３色の
色光に分離し、光変調装置に導く機能を有する。
【００３５】
光学装置３４は、光変調装置として各色光用に設けられた３つの液晶パネル３４１（Ｒ
光用の液晶パネルを３４１Ｒ、Ｇ光用の液晶パネルを３４１Ｇ、Ｂ光用の液晶パネルを３
４１Ｂとする）、各液晶パネル３４１の光入射側、光射出側にそれぞれ配置された入射側
偏光板３４２、射出側偏光板３４３、および色合成光学装置としてのクロスダイクロイッ
クプリズム３４４を備える。
【００３６】
液晶パネル３４１は、透過型であり、ガラスなどからなる素子基板、および素子基板に
対向して配設された対向基板の間に液晶が密閉封入され、微小画素がマトリックス状に形
成された矩形状の画素領域を有している。また、素子基板には、制御部４との電気的接続
のためのフレキシブル基板３４１Ｆ（図３参照、液晶パネル３４１Ｒ用、液晶パネル３４
１Ｇ用、液晶パネル３４１Ｂ用それぞれのフレキシブル基板３４１Ｆを３４１Ｆｒ，３４
１Ｆｇ，３４１Ｆｂとする）が接続されている。
フレキシブル基板３４１Ｆは、入力端子を有し、液晶パネルは、このフレキシブル基板
３４１Ｆを介して制御部４から画像情報に応じた駆動信号が入力され、画素領域の液晶の
配向状態が制御され、入射する色光を変調する。
【００３７】
クロスダイクロイックプリズム３４４は、４つの直角プリズムを貼り合わせた平面視略
正方形状をなし、直角プリズム同士を貼り合わせた界面には、２つの誘電体多層膜が形成
されている。クロスダイクロイックプリズム３４４は、誘電体多層膜が液晶パネル３４１
Ｒ，３４１Ｂにて変調されたＲ光およびＢ光を反射し、液晶パネル３４１Ｇにて変調され
たＧ光を透過して、３色の変調光を合成する。
【００３８】
投写レンズ３５は、複数のレンズを備え、クロスダイクロイックプリズム３４４にて合
成された光をスクリーン上に拡大投写する。
【００３９】
制御部４は、図１に示すように、光学ユニット３の右方（＋Ｘ方向）に配置され、コン
ピューターとしての機能を有し、プロジェクター１の動作の制御、例えば、画像の投写に
関わる制御や、冷却装置６に備えられたファンの駆動制御等を行う。
【００４０】
図２は、制御部４、電源装置５、冷却装置６、回路接続部７および仕切部８を第２領域
側から見た斜視図である。
制御部４は、図２に示すように、ＣＰＵ（Central Processing Unit）やＲＯＭ（Read 
Only Memory）、ＲＡＭ（Random Access Memory）（いずれも図示省略）、およびこれら
の制御回路素子が実装された制御基板４１、およびインターフェイス部４２を備える。
制御基板４１は、実装面がＸ−Ｙ平面に略沿うように配置される。
【００４１】
インターフェイス部４２は、外部装置（コンピューターやビデオプレーヤー等）が接続
される接続端子ＣＮ、および接続端子ＣＮが実装されるインターフェイス基板（図示省略
）を備える。接続端子ＣＮとしては、外部装置からの画像信号や音声信号等が入力可能な
端子（ＨＤＭＩ（登録商標）規格に準拠する端子、ビデオ端子、オーディオ端子等）があ
る。
インターフェイス基板は、実装面がＹ−Ｚ平面に略沿うように、コネクター（図示省略
）を介して制御基板４１に接続される。また、インターフェイス基板は、接続端子ＣＮが
実装された面の反対側の面が投写レンズ３５の右方に対向するように配置される。接続端
子ＣＮは、前述したように、外装筐体２の右側面２Ｒから露出する（図１参照）。
【００４２】
電源装置５は、電源ケーブルＣＡを介して外部から供給された電力を電気的に変換して
制御部４や光源３１１等に供給する。
電源装置５は、図２に示すように、フィルター部５１、電源部５２、および光源駆動部
５３を備え、フィルター部５１および電源部５２は、第２領域２００に配置され、光源駆
動部５３は、第１領域１００に配置される。
【００４３】
フィルター部５１は、制御部４の下方に配置され、電源ケーブルＣＡが接続されるイン
レットコネクター５１１、およびインレットコネクター５１１から入力された交流電力が
発生するノイズを除去する回路素子、およびこの回路素子が実装されたフィルター基板５
１２を有している。
インレットコネクター５１１は、差込口が外装筐体２の右側面２Ｒから露出して配置さ
れる（図１参照）。フィルター基板５１２は、インレットコネクター５１１の後方（−Ｙ
方向）に配置される。
【００４４】
電源部５２は、図２に示すように、制御部４およびフィルター部５１の後方に配置され
、フィルター部５１に接続される。電源部５２は、コイル、トランジスター、ダイオード
等の回路素子が実装された電源回路基板、ヒートシンク、およびこれらの部材の上下左右
を覆い前後に開口部を有するシールド部材５２１を備える。電源部５２は、フィルター部
５１から出力された交流電力を整流し、各種の電圧値の直流電力に変換して光源駆動部５
３および制御部４等に出力する。電源部５２は、電源回路基板が前後方向（±Ｙ方向）に
沿うように配置される。
【００４５】
光源駆動部５３は、図２に示すように、電源部５２の左方（−Ｘ方向）に配置され、電
源部５２に接続される。光源駆動部５３は、交流矩形波電流を発生させるためのコイル、
トランジスター等の回路素子が実装された光源駆動回路基板、トランジスター等を放熱す
るためのヒートシンク、およびこれらの部材の上下左右を覆い前後に開口部を有するシー
ルド部材５３１を備える。光源駆動部５３は電源部５２から供給される直流電流を整流、
変圧して交流矩形波電流を発生させ、光源３１１を駆動する。光源駆動部５３は、光源駆
動回路基板が前後方向（±Ｙ方向）に沿うように配置される。なお、電源部５２と光源駆
動部５３とを接続するケーブル（図示省略）は、排気ファン６２３近傍を通って配線され
る。
【００４６】
図３は、制御部４、電源装置５、冷却装置６、回路接続部７および仕切部８を第１領域
１００側から見た斜視図である。
冷却装置６は、図３に示すように、第１冷却装置６１および第２冷却装置６２を備える
。
第１冷却装置６１は、３つの吸気ファン６１１、２つのランプファン６１２、電源ファ
ン６１３、および３つの排気ファン６１４を備え、第１領域１００に配置される。第１冷
却装置６１は、制御部４の指示に基づいてこれらのファンが駆動され、主に光学ユニット
３および光源駆動部５３を冷却する。吸気ファン６１１は、第１ファンに相当する。なお
、吸気ファン６１１、ランプファン６１２および排気ファン６１４は、前述した数に限ら
ず他の数で構成してもよい。
【００４７】
吸気ファン６１１は、軸流ファンである。３つの吸気ファン６１１は、第１吸気口２１
（図１参照）の内側に前後方向に沿って配置され、第１吸気口２１から外装筐体２外部の
空気を取り込む。
ランプファン６１２は、軸流ファンであり、光源装置３１に向けて空気を送風するよう
に配置される。
電源ファン６１３は、軸流ファンであり、光源駆動部５３に向けて空気を送風するよう
に、光源駆動部５３の前方に配置される。
排気ファン６１４は、軸流ファンであり、３つの排気ファン６１４は、光源装置３１と
第１排気口２３（図１参照）との間に左右方向に沿って配置され、外装筐体２内部の空気
を第１排気口２３から排出する。
【００４８】
第２冷却装置６２は、第２ファンとしての吸気ファン６２１、電源ファン６２２および
排気ファン６２３を備え、制御部４の指示に基づいてこれらのファンが駆動されて、主に
制御部４、フィルター部５１、および電源部５２を冷却する。
【００４９】
吸気ファン６２１は、軸流ファンであり、第２吸気口２２（図１参照）の内側の第２領
域２００に配置され、第２吸気口２２から外装筐体２外部の空気を取り込む。また、吸気
ファン６２１は、制御基板４１およびインターフェイス基板に沿う方向に空気を送風する
ように配置される。
電源ファン６２２は、シロッコファンであり、図３に示すように、第２領域２００に配
置され、空気を取り込む吸気口が左方（−Ｘ方向）、取り込んだ空気を排出する排出口が
電源部５２を向くように、電源部５２の前方に配置される。
排気ファン６２３は、軸流ファンであり、電源部５２および光源駆動部５３と第２排気
口２４（図１参照）との間に配置され、外装筐体２内部の空気を第２排気口２４から排出
する。また、排気ファン６２３は、左右方向において、電源部５２および光源駆動部５３
が配置される領域の大きさより小さなサイズを有し、電源部５２および光源駆動部５３の
後方、すなわち第１領域１００と第２領域２００とに跨るように配置される。
【００５０】
回路接続部７は、図３に示すように、第１領域１００に配置される複数の中継基板７１
、集約基板７２、複数のケーブル、および第１領域１００と第２領域２００とに跨って配
置される配線部７２１を備える。回路接続部７は、液晶パネル３４１、第１冷却装置６１
が備えるファン、および第２冷却装置６２における排気ファン６２３と、制御基板４１と
を電気的に接続する。
【００５１】
具体的に、中継基板７１は、第１中継基板７１１Ｒ，７１１Ｇ，７１１Ｂ、第２中継基
板７１２、第３中継基板７１３、第４中継基板７１４、および第５中継基板７１５を備え
る。
第１中継基板７１１Ｒ，７１１Ｇ，７１１Ｂは、詳細な図は省略するが、光学装置３４
の上方に位置し、光学部品用筐体３６の上面に固定される。そして、第１中継基板７１１
Ｒ，７１１Ｇ，７１１Ｂは、各色光用の液晶パネル３４１と接続するように形成されてい
る。具体的に、第１中継基板７１１Ｒには、フレキシブル基板３４１Ｆｒが接続され、第
１中継基板７１１Ｇには、フレキシブル基板３４１Ｆｇが接続され、第１中継基板７１１
Ｂには、フレキシブル基板３４１Ｆｂが接続される。そして、第１中継基板７１１Ｒ，７
１１Ｇ，７１１Ｂには、フレキシブル基板３４１Ｆｒ，３４１Ｆｇ，３４１Ｆｂの各入力
端子と接続する配線が形成されている。
【００５２】
第２中継基板７１２は、吸気ファン６１１の上方に配置され、３つの吸気ファン６１１
のケーブルが接続され、このケーブルと接続する配線が形成されている。
第３中継基板７１３は、ランプファン６１２の上方に配置され、２つのランプファン６
１２のケーブルが接続され、このケーブルと接続する配線が形成されている。
第４中継基板７１４は、排気ファン６１４と排気ファン６２３との間に配置され、３つ
の排気ファン６１４および排気ファン６２３のケーブルが接続され、このケーブルと接続
する配線が形成されている。
第５中継基板７１５は、光源駆動部５３の上方に配置される。第５中継基板７１５は、
第４中継基板７１４とケーブルを介して接続され、また、電源ファン６１３のケーブルが
接続され、これらのケーブルと接続する配線が形成されている。なお、第２冷却装置６２
における吸気ファン６２１および電源ファン６２２のケーブルは、制御基板４１に接続さ
れる。
【００５３】
集約基板７２は、制御部４の左方（−Ｘ方向）で、光源駆動部５３の前方に配置される
。集約基板７２は、制御部４に電気的に接続される配線を集約する機能を有し、制御部４
が制御する第１領域１００に配置された制御対象のうち、液晶パネル３４１、第１冷却装
置６１が備えるファン、および第２冷却装置６２における排気ファン６２３に繋がる配線
を有している。具体的に、集約基板７２は、第１中継基板７１１Ｒ，７１１Ｇ，７１１Ｂ
、第２中継基板７１２、第３中継基板７１３、および第５中継基板７１５とそれぞれケー
ブルを介して接続され、それぞれのケーブルと接続する配線が形成されている。
【００５４】
配線部７２１は、集約基板７２で集約された配線に接続するケーブルが束ねられて構成
されており、制御基板４１と集約基板７２とを電気的に接続する。また、配線部７２１は
、少なくともいずれか一方がコネクター（図示省略）によって制御基板４１および集約基
板７２に接続されている。
このように、液晶パネル３４１、吸気ファン６１１、ランプファン６１２、電源ファン
６１３、および排気ファン６１４，６２３は、回路接続部７を介して制御部４からの制御
信号が入力される。
【００５５】
仕切部８は、前述したように、光学ユニット３と制御部４との間に設けられ、外装筐体
２内を光学ユニット３が配置される第１領域１００と、制御部４が配置される第２領域２
００とに仕切ることで第１領域１００と第２領域２００との間の空気の流動性を抑える。
仕切部８は、板状の部材で形成された第１仕切部材８１および第２仕切部材８２を有し
ている。第１仕切部材８１は、上下方向および前後方向に延出しており、上下方向におい
ては、外装筐体２の上下の内面に略当接するように延出し、前後方向においては、図１、
図３に示すように、排気ファン６２３の空気流入側の前方から制御部４の左方まで延出し
ている。すなわち、第１仕切部材８１の後端は、外装筐体２の後側の内面から離間してお
り、排気ファン６２３は、この内面と第１仕切部材８１の後端との間に配置される。
【００５６】
そして、第１仕切部材８１には、図３に示すように、集約基板７２近傍に接続用開口部
８１ｈが形成されている。接続用開口部８１ｈは、配線部７２１が挿通される孔であり、
配線部７２１が挿通できる程度の大きさである。なお、接続用開口部８１ｈは、孔に限ら
ずＵ字状等の切欠きであってもよい。接続用開口部８１ｈが切欠きで形成された場合には
、制御部４と集約基板７２とが配線部７２１で接続された後でも、また、接続用開口部８
１ｈをコネクターが挿通できるような大きさに形成しなくとも、配線部７２１を接続用開
口部８１ｈに挿通させることができる。また、配線部７２１と接続用開口部８１ｈとの間
にクッション材等を設けるように構成してもよい。これによって、第１領域１００と第２
領域２００との間の空気の流動性をさらに抑えることが可能となる。
【００５７】
第２仕切部材８２は、図３に示すように、第１仕切部材８１の前側の端部に一部が重な
り、上側および前側の端部が屈曲されており、上下方向においては、外装筐体２の上下の
内面に略当接するように延出し、前方が外装筐体２の前側の内面で、第２吸気口２２の左
方に当接するように形成されている。
【００５８】
ここで冷却装置６の動作による空気の流れについて説明する。
先ず、第１冷却装置６１の動作による空気の流れについて説明する。
第１冷却装置６１は、外装筐体２外部の空気を第１領域１００に取り込み、取り込んだ
空気で第１領域１００に配置される部材を冷却する。
具体的に、吸気ファン６１１は、図１に示すように、第１吸気口２１から外装筐体２外
部の空気を取り込み、取り込んだ空気を第１領域１００に流通させる。第１吸気口２１か
ら第１領域１００に取り込まれる際に、外部の空気に混在する塵埃は、防塵フィルター２
１ｐによって捕捉され、第１領域１００への侵入が防止される。第１領域１００に取り込
まれた空気は、図示しないダクト部材によって、光学装置３４や偏光変換素子３２３等に
導かれ、これらの部材を冷却する。
【００５９】
ランプファン６１２は、ランプファン６１２の空気流入側の空気を光源装置３１に向け
て送風し、光源３１１等の部材を冷却する。
電源ファン６１３は、電源ファン６１３の空気流入側の空気を光源駆動部５３に向けて
送風し、光源駆動部５３の回路素子等を冷却する。
排気ファン６１４は、第１領域１００を流通し、光学装置３４や偏光変換素子３２３、
光源３１１、光源駆動部５３等を冷却して暖まった空気を第１排気口２３から排出する。
【００６０】
次に、第２冷却装置６２の動作による空気の流れについて説明する。
第２冷却装置６２は、外装筐体２外部の空気を第２領域２００に取り込み、取り込んだ
空気で第２領域２００に配置される部材を冷却する。
具体的に、吸気ファン６２１は、図１に示すように、第２吸気口２２から外装筐体２外
部の空気を取り込み、取り込んだ空気を第２領域２００に流通させる。第２領域２００に
取り込まれた空気は、制御部４およびフィルター部５１、電源部５２に送風され、これら
の部材を冷却する。
【００６１】
電源ファン６２２は、空気流入側の空気を電源部５２に送風し、電源部５２を冷却する
。
【００６２】
排気ファン６２３は、第２領域２００を流通し、制御部４、フィルター部５１、および
電源部５２を冷却して暖まった空気を第２排気口２４から排出する。また、排気ファン６
２３は、第１領域１００に侵入している部分で、光源駆動部５３近傍の空気を吸入して第
２排気口２４から排出する。
【００６３】
吸気ファン６２１は、制御基板４１およびインターフェイス基板に沿う方向に空気を送
風するように配置されているので、吸気ファン６２１から送風された空気は、流動性が良
好に制御部４を流れる。また、第２領域２００を流通する空気が流れる方向において、制
御部４の下流に位置する電源部５２においても、吸気ファン６２１が空気を送風する方向
に電源回路基板が配置されているので、空気が流動性良く流れる。
【００６４】
このように、冷却装置６は、仕切部８で仕切られた第１領域１００および第２領域２０
０に配置されている部材を冷却する。そして、第１領域１００に配置される部材を冷却し
た空気、および第２領域２００に配置される部材を冷却した空気は、外装筐体２の後面２
Ｂに設けられた第１排気口２３および第２排気口２４から同じ方向（後方）に排出される
。なお、各ファンは、図示しない温度検出部の検出結果に応じて制御部４の指示の基、駆
動電圧が変更される。
【００６５】
以上説明したように、本実施形態によれば、以下の効果を得ることができる。
（１）外装筐体２内は、仕切部８によって光学ユニット３が配置される第１領域１００
と、制御部４が配置される第２領域２００とに仕切られている。そして、仕切部８に形成
された接続用開口部８１ｈは、配線部７２１が挿通できる程度の大きさなので、第１領域
１００と第２領域２００との間の空気の流動を抑制することが可能となる。よって、第１
領域１００の防塵性の向上および効率的な冷却、および第２領域２００の防塵性を第１領
域１００より緩和して通気性を高めることが可能となる。よって、第１領域１００に配置
される光学ユニット３の光学部品への塵埃の付着の防止および効率的な冷却、および第２
領域２００に配置される制御部４およびフィルター部５１、電源部５２を効率的に冷却す
ることが可能となる。したがって、プロジェクター１は、光学部品への塵埃の付着や高温
による画質の劣化を抑制した画像の投写が可能になると共に、ファンの低電圧駆動等によ
る低騒音化が可能となる。
【００６６】
（２）第１領域１００には吸気ファン６１１が配置され、第２領域２００には吸気ファ
ン６２１が配置されるので、第１領域１００、第２領域２００に流通させる空気の風量や
風速を容易に制御することが可能となる。
【００６７】
（３）制御部４および電源部５２は、第２領域２００の空気の流通方向に、この順で並
設され、第２領域２００を流れる空気は、制御部４を冷却した後、制御部４より高温とな
る電源部５２を冷却する。これによって、制御部４と電源部５２とが並設される前後方向
に交差する左右方向の大型化を抑制し、制御部４を冷却した空気を有効に利用して電源部
５２を冷却できるプロジェクター１の提供が可能となる。
【００６８】
（４）第１領域１００と第２領域２００とは、プロジェクター１の設置姿勢において、
鉛直方向に交差する方向に並設されているので、上下方向に並設される構成に比べ、一方
側から他方側へ熱が互いに伝わりにくくなる。よって、光学ユニット３、制御部４、およ
び電源装置５の効率的な冷却が可能となる。
【００６９】
（５）インターフェイス部４２が第２領域２００に配置されているので、外装筐体２の
端子用開口部から外部の塵埃が第２領域２００に侵入した場合でも、仕切部８によって、
この塵埃が第１領域１００に侵入することが抑制される。よって、第１領域１００に配置
される光学ユニット３の光学部品への塵埃の付着の防止をさらに高めることが可能となる
。
【００７０】
（６）吸気ファン６２１は、制御基板４１およびインターフェイス基板に沿う方向に空
気を送風するように配置されるので、第２領域２００の流動性を高めて冷却空気を流通さ
せ、第２領域２００に配置される部材を効率良く冷却することが可能となる。
【００７１】
（７）第１領域１００に配置される部材を冷却した空気、および第２領域２００に配置
される部材を冷却した空気は、同じ方向に排出されるので、排出される空気が多方向に向
かうことが抑制される。これによって、プロジェクター１内部を冷却した空気が複数の方
向に排気される構成に比べ、排気を不快に感じる画像の観察者がプロジェクター１の近傍
に位置する領域が増えるので、観察者の観察位置の自由度を高めたプロジェクター１を提
供できる。
また、第１排気口２３、第２排気口２４をプロジェクター１外側の多方向から観察しに
くいように形成できるので、プロジェクター１の外観の見映えの向上が可能となる。
【００７２】
なお、前記実施形態は、以下のように変更してもよい。
（変形例１）
前記実施形態では、配線部７２１がケーブルで構成されているが、配線部を回路基板で
構成し、この配線部と、制御基板４１および集約基板７２とが一体的に形成されるように
構成してもよい。
図４は、変形例１の構成を説明するための模式図であり、（ａ）は配線部１９１を有す
る回路基板１９０、および仕切部１８０を上方から見た図、（ｂ）は配線部１９１、およ
び仕切部１８０を左方から見た図である。
【００７３】
図４に示すように、回路基板１９０は、前記実施形態の制御基板４１、集約基板７２と
同様に形成された制御基板１４１、集約基板１７２、および配線部１９１を有し、配線部
１９１が制御基板１４１と集約基板１７２とを架橋するように、一体的に形成されている
。
配線部１９１は、制御基板１４１と集約基板１７２とを電気的に接続する配線が形成さ
れている。このように、配線部１９１は、制御基板１４１および集約基板１７２と一体的
に形成された回路基板の一部で構成されている。
【００７４】
仕切部１８０は、図４に示すように、第１仕切部材１８１および第１仕切部材１８１の
前側の端部に一部が重なる第２仕切部材１８２を備える。図４（ｂ）に示すように、第１
仕切部材１８１は、前側の端部の下側に切欠き１８１ａが形成され、第２仕切部材１８２
は、後側の端部の上側に切欠き１８２ａが形成されている。切欠き１８１ａ，１８２ａは
、図４（ｂ）に示すように、互いの隙間に配線部１９１が配置されるように形成されてい
る。そして、集約基板１７２と一体化された制御基板１４１を有する制御部、および仕切
部１８０は、第２仕切部材１８２、制御部、第１仕切部材１８１の順で組み立てられる。
この構成によれば、制御基板１４１と集約基板１７２とを電気的に接続するためのケー
ブルやコネクター等が不要なので、部品点数の削減や製造の簡素化が可能となる。
【００７５】
（変形例２）
集約基板７２は、制御部４が制御する第１領域１００に配置された制御対象のうち少な
くとも光変調装置の配線を集約するように構成されていればよく、ファン以外に温度検出
部、投写レンズ３５のズームやフォーカスを調整する機構、レンズシフト機構を駆動させ
るモーター等を制御対象とし、これらの配線を集約基板７２が集約するように構成しても
よい。
【００７６】
（変形例３）
前記実施形態では、光源駆動部５３が第１領域１００に配置され、電源部５２が第２領
域２００に配置されるように構成されているが、電源部５２および光源駆動部５３が第２
領域２００に配置されるように構成してもよい。そして、電源部５２と光源駆動部５３と
がＸ方向に限らず、Ｙ方向やＺ方向に並設されるように構成してもよい。
また、前記実施形態では、フィルター部５１が第２領域２００に配置されているが、フ
ィルター部５１が第１領域１００に配置されるように構成してもよい。
【００７７】
（変形例４）
前記実施形態では、仕切部８が排気ファン６２３の空気流入側の前方からその前方に延
出し、排気ファン６２３が第１領域１００と第２領域２００とに跨るように配置されてい
るが、仕切部８の後端が外装筐体２の内面に略当接し、排気ファン６２３が第２領域２０
０に配置されるように構成してもよい。
【００７８】
（変形例５）
前記実施形態では、第１領域１００と第２領域２００とが左右方向に並設されるように
構成されているが、第１領域１００と第２領域２００とが前後方向に並設されるように構
成してもよい。
【００７９】
（変形例６）
前記実施形態の第１中継基板７１１Ｒ，７１１Ｇ，７１１Ｂは、各色光用の液晶パネル
３４１それぞれに対応して３つ設けられているが、一体で構成してもよい。
また、液晶パネル３４１、吸気ファン６１１、ランプファン６１２、電源ファン６１３
、および排気ファン６１４，６２３は、中継基板７１を介して集約基板７２に接続されて
いるが、中継基板７１を備えない構成とし、直接、集約基板７２に接続されるように構成
してもよい。
【００８０】
（変形例７）
前記実施形態のプロジェクターは、１つの光源装置３１を備えているが、複数の光源装
置３１を備えるように構成してもよい。また、光源装置３１は、放電型のランプを用いた
ものに限らず、その他の方式のランプや発光ダイオードやレーザー等の固体光源で構成し
てもよい。
また、前記実施形態の光学ユニット３は、光源３１１が光を射出する方向と、投写レン
ズ３５が投写する方向とが同一方向になるように構成されているが、光源３１１が光を射
出する方向と、投写レンズ３５が投写する方向とが交差する方向になるように構成しても
よい。
【００８１】
（変形例８）
前記実施形態のプロジェクター１は、光変調装置として透過型の液晶パネル３４１を用
いているが、反射型の液晶パネルを利用したものであってもよい。また、光変調装置とし
てマイクロミラー型の光変調装置、例えば、ＤＭＤ（Digital Micromirror Device）等を
利用したものであってもよい。
また、前記実施形態の光変調装置は、Ｒ光、Ｇ光、およびＢ光に対応する３つの光変調
装置を用いるいわゆる３板方式を採用しているが、これに限らず、単板方式を採用しても
よく、あるいは、２つまたは４つ以上の光変調装置を備えるプロジェクターにも適用でき
る。
【符号の説明】
【００８２】
１…プロジェクター、２…外装筐体、３…光学ユニット、４…制御部、５…電源装置、
６…冷却装置、７…回路接続部、８，１８０…仕切部、２１…第１吸気口、２１ｐ…防塵
フィルター、２２…第２吸気口、２３…第１排気口、２４…第２排気口、３１…光源装置
、３５…投写レンズ、４１，１４１…制御基板、４２…インターフェイス部、５１…フィ
ルター部、５２…電源部、５３…光源駆動部、６１…第１冷却装置、６２…第２冷却装置
、７１…中継基板、７２，１７２…集約基板、８１ｈ…接続用開口部、１００…第１領域
、１９０…一体基板、２００…第２領域、３１１…光源、３４１…液晶パネル、３４１Ｆ
…フレキシブル基板、６１１，６２１…吸気ファン、６１４，６２３…排気ファン、１９
１，７２１…配線部。
【図１】
0006507560.tif 000002
【図２】
0006507560.tif 000003
【図３】
0006507560.tif 000004
【図４】
0006507560.tif 000005